(57)【特許請求の範囲】
【請求項１】
フレーム組立体により、分離可能な型枠が支持される高さを調節可能なように前記分離可能な型枠が前記フレーム組立体に固定されている、分離可能なコンクリート型枠支持用フレーム組立体であって、前記フレーム組立体が、床又は地表面に接する下部フレーム部と、前記下部フレーム部に対して上下動可能な上部フレーム部と、複数の互いに隔たった前記下部フレーム部の脚部と、前記脚部に近接する少なくとも１つの調節可能なフット組立体とを有し、前記上部フレーム部は、その支持体が最下位置で、前記下部フレーム部の脚部の下端部から突出する位置まで、前記下部フレーム部に対して上下動可能であり、前記調節可能なフット組立体又は該フット組立体の各々が、そのそれぞれの脚部に対して選択的に伸縮し、地表面又は床に接する位置へと、或いは、地表面又は床に接する位置から離れて、上昇又は下降し、それぞれの脚部に対して微調整でき、前記型枠が前記型枠及びフレーム組立体の総重量の影響下で硬化したコンクリートから剥がれ落ちうる程度まで、収縮できるように構成されている、分離可能なコンクリート型枠支持用フレーム組立体。
【請求項２】
少なくとも３つの互いに隔たった下部フレーム部の脚部と、前記各脚部に近接する調節可能なフット組立体とを有し、前記各調節可能なフット組立体がそのそれぞれの脚部に対して選択的に伸縮し、地表面又は床に接する位置へと、或いは、地表面又は床に接する位置から離れて、上昇又は下降するように構成されている、請求項１に記載のフレーム組立体。
【請求項３】
フレーム組立体が、型枠を固定する最上面を定め、前記最上面がフット組立体を調節することにより水平にされてもよい、請求項１又は２に記載のフレーム組立体。
【請求項４】
フレーム組立体の最上面が直線的であって、それゆえ４つの隅を定め、前記フレーム組立体が、前記各隅に位置するか或いは前記各隅の近くに位置する下部フレーム部の脚部及びフット組立体を有する、請求項３に記載のフレーム組立体。
【請求項５】
下部フレーム部が４つの管状脚部を有し、上部フレーム部が４つの脚部を有し、前記上部フレーム部の各脚部が前記下部フレーム部の脚部内に位置して前記下部フレーム部の脚部に対して伸縮自在に上下動する、請求項１〜４のいずれかに記載のフレーム組立体。
【請求項６】
下部フレーム部に対して上部フレーム部を移動させるため、油圧アクチュエータが前記上部フレームと前記下部フレームとの間に位置する、請求項１〜５のいずれかに記載のフレーム組立体。
【請求項７】
２つの油圧アクチュエータをフレームの対向両側に備える、請求項６に記載のフレーム組立体。
【請求項８】
地表面又は床に接する位置へと、或いは地表面又は床に接する位置から離れて、上昇又は下降させることができる接地車輪組立体であって、接地しているときにフレームの移動を可能とするように支持することができる接地車輪組立体をさらに有する、請求項１〜７のいずれかに記載のフレーム組立体。
【請求項９】
車輪組立体が、下部フレーム部の各脚部にあるか或いは各脚部の近くにある、請求項８に記載のフレーム組立体。
【請求項１０】
車輪がキャスター車輪である、請求項９に記載のフレーム組立体。
【請求項１１】
分離可能な型枠が、締結具又は留め具を用いてフレーム組立体に固定される、請求項１〜１０のいずれかに記載のフレーム組立体。
【請求項１２】
請求項１〜１１のいずれかに記載のフレーム組立体を利用して、硬化中には型枠により支持されていた硬化した成形コンクリートから前記型枠を取り外す方法であって、前記型枠が、前記フレーム組立体により支持されず、前記型枠及び前記フレーム組立体の総重量の影響下で前記硬化したコンクリートから剥がれ落ちうる程度まで、各フット組立体をそのそれぞれの脚部に対して収縮させるステップを含むことを特徴とする方法。
【発明の詳細な説明】
【技術分野】
【０００１】
本開示は、コンクリート成形型枠（concrete casting formwork）を支持するためのフレーム組立体、及び形成されたコンクリート表面からの型枠の取外し方法に関する。
【背景技術】
【０００２】
本明細書において特に明確に断りのない限り、既知の文献、行為又は物品が言及又は議論される場合には、この言及又は議論は、既知の文献、行為又は物品又はこれらのあらゆる組合せが、優先日において、公に入手可能であった、公知であった、一般常識の一部であった；或いは、本明細書が関わる何らかの問題を解決する試みに関連するものとして知られていたことの認容として解釈されてはならない。
【０００３】
既知の建築プラクティスでは、型枠を地表面上又は下階上で組み立て、建築物のすぐ上の階を形成する。型枠には、柱を作るボックスフォーム（box forms）、柱間に伸長するコンクリート梁を形成するテーブルフォーム（table forms）、及び梁同士の間の領域を満たす消失性型枠（lost formwork）が含まれる。
【０００４】
消失性型枠及びテーブルフォームは、通常、足場によって所定位置に保持される。足場は表面又は下階の床上に組み立てられ、消失性型枠及びテーブルフォームは足場上で支持される。テーブルフォームは、足場上の所定位置にクレーンで降ろされる。
【０００５】
消失性型枠は、圧延薄板金属部位を含むが、これはコンクリート硬化後、その場に残される。
【０００６】
テーブルフォームは通常、合板面を有し、コンクリートはこの合板面に対して注入される。合板の底面に一連の根太（joists）が間を置いて配置され、型枠を支持するために足場上に配置された根太の下に、さらなる受台（bearer）が配置される。
【０００７】
すぐ上の階の床を作るために型枠に注入されるコンクリートを支持するに十分な強度を足場は有する。このコンクリートが固まって自己支持状態になると、足場と型枠を下側から撤去することができる。
【０００８】
通常、足場を撤去する際には、テーブルフォームを支持するのにシザーリフト機構又はプラットフォームを用いる。次に、テーブルフォーム型枠をコンクリート表面から剥ぎ取り、地上まで降ろす。全ての部品は、フォークリフト及びクレーンで建築現場から撤去するために積み重ねられる。
【０００９】
これまで、コンクリート型枠を上昇及び下降させる目的で、足場に代わる搬送システムを用いることが提案されてきた。英国特許公報第１０５２０９７号にかかる搬送システムの一例が示されている。この特許の明細書によれば、型枠を所望の位置まで上昇させ、コンクリートを上に注入する間その場に保持することができる。コンクリートが固まると、コンクリート型枠は撤去される。
【００１０】
しかしながら、かかる搬送システムにおける大きな問題は、型枠が硬化したコンクリート表面に接着することである。多くの場合、型枠は依然として硬化したコンクリートの表面から手作業で引き剥がされなければならない。これは、時間がかかるだけでなく、引剥し作業を行う者にとって危険を孕んでいる。
【００１１】
したがって、上述の問題点を実質的に改善するか、或いは少なくとも、既知の装置に代わる有用な型枠支持装置を提供することが本開示の目的である。
【００１２】
本発明の他の目的及び利点は、説明及び例証の目的で本発明の実施形態が開示されている添付の図面と併せて理解することにより、以下の記述から明らかになるであろう。
【００１３】
本明細書において、「を含んだ（comprising）」なる用語は「を含むが、それに限られるものではない（including but not limited to）」を意味し、「を含む（comprises）」なる用語は対応する意味を有する。
【先行技術文献】
【特許文献】
【００１４】
【特許文献１】英国特許公報第１０５２０９７号
【発明の概要】
【００１５】
したがって、本開示の態様の１つにおいて、コンクリート型枠を支持するためのフレーム組立体があり、型枠は、フレームワーク（framework）により型枠が支持される高さが調節可能なようにフレーム組立体に固定されており、フレーム組立体は複数の互いに隔たった脚部（spaced apart legs）を含み、少なくとも１つの調節可能なフット組立体（adjustable foot assembly）が脚部の少なくとも１つに付随し、この調節可能なフット組立体又は各調節可能なフット組立体が、その付随する脚部又は複数の脚部に対して選択的に伸縮するよう構成されている。
【００１６】
形態の１つにおいて、少なくとも３つの互いに隔たった脚部があり、調節可能なフット組立体が各脚部に配置されるか、或いは各脚部に近接して配置され、各調節可能なフット組立体は、その各脚部に対して選択的に伸縮するよう構成されている。
【００１７】
形態の１つにおいて、このフット組立体又は各フット組立体は、そのそれぞれの脚部に対して微調整できるように構成されている。
【００１８】
或いはまた別の形態の１つにおいて、横木（cross bar）が１対の脚部間に伸長してもよく、少なくとも１つのフット組立体が、この横木に対して選択的に伸縮するよう構成されている。
【００１９】
形態の１つにおいて、各フット組立体は、そのそれぞれの脚部に対して微調整できるように構成されている。
【００２０】
形態の１つにおいて、各フット組立体は、地表面又は床に接する位置へと、或いは地表面又は床に接する位置から、上昇又は下降させられるように構成されている。
【００２１】
形態の１つにおいて、フレーム組立体は、型枠が固定される最上面を定め、この最上面は、フット組立体を調節することにより水平にされてもよい。
【００２２】
形態の１つにおいて、フレーム組立体の最上面は直線的であり、フレーム組立体は、各隅に位置するか或いは各隅の近くに位置する脚部及びフット組立体を有する。
【００２３】
形態の１つにおいて、フレームは、床又は地表面に接していてもよい下部フレーム部と、下部フレーム部に対して上下動可能な上部フレーム部とを有する。
【００２４】
形態の１つにおいて、下部フレーム部は４つの管状脚部を有し、上部は４つの脚部を有し、これら上部の各脚部が、下部フレーム部の脚部の１つの内部に位置して、下部フレーム部の脚部の１つに対して伸縮自在に上下動する。
【００２５】
形態の１つにおいて、下部フレーム部に相対的に上部フレーム部を移動させるため、油圧アクチュエータが上部フレームと下部フレームとの間に配置される。
【００２６】
形態の１つにおいて、フレームの対向両側にある２つの油圧アクチュエータが提供される。
【００２７】
形態の１つにおいて、フレーム組立体はさらに、地表面又は床に接する位置まで、或いは地表面又は床に接する位置から、上昇又は下降させられうる接地車輪組立体を含み、この接地車輪組立体は、接地しているときにフレームを移動可能な形で支持することができる。
【００２８】
形態の１つにおいて、車輪組立体は、各脚部にあるか或いは各脚部の近くにある。
【００２９】
形態の１つにおいて、車輪はキャスター車輪である。
【００３０】
さらなる態様の１つにおいて、本開示は、硬化中には型枠により支持されていた硬化した成形コンクリート（cured concrete cast）から型枠を取り外す方法を含んでいてもよく、この方法は上述の型枠支持フレーム組立体を利用し、この方法は以下のステップを含むことを特徴とする：型枠が、フレーム組立体により支持されず、型枠及びフレーム組立体の総重量の影響下で硬化したコンクリートから剥がれ落ちうる程度まで、各フットをそのそれぞれの脚部に対して収縮させること。
【００３１】
さらなる態様の１つにおいて、本開示は、コンクリート型枠支持用フレーム組立体を含んでいてもよく、ここで、コンクリート成形のために選択される床表面より上にある少なくとも第１の高さと、型枠が硬化したコンクリートから離れるか或いはフレーム組立体に支持されない第２の高さとの間を移動可能なように、型枠がフレームワークに支持される高さを調節可能であるよう、型枠はフレーム組立体に固定される。
【００３２】
さらなる態様の１つにおいて、本開示は、硬化中には型枠により支持されていた硬化した成形コンクリートから型枠を取り外す方法を含んでいてもよく、この方法はすぐ上に記載の型枠支持フレーム組立体を利用し、この方法は、型枠が、フレーム組立体により支持されず、型枠及びフレーム組立体の総重量の影響下で硬化したコンクリートから剥がれ落ちうる程度まで、型枠がフレーム組立体により支持される高さを調節するステップを含むことを特徴とする。
【００３３】
本発明は、コンクリートの形成において数多くの応用例を有するだろう。本発明は、水平面の形成と共に垂直面の形成に等しく適するが、本発明は特に、多層建築物の床等の水平コンクリート部材の形成に適する。フレームは、床又は地表面に接する下部フレーム部と、下部フレーム部に相対的に上下動可能な上部支持部とを含んでいてもよい。上部支持部は、コンクリート型枠をその第１の最上部位置に支持及び保持するよう設計され、下部フレーム部に対して上部支持部を移動させることにより、第２の位置への型枠の下降を可能にするよう設計される。
【００３４】
ここで、本発明の実施形態の少なくとも１つを詳細に説明する前に、本発明がその応用において、以下の記述において提示されたり図面において例示されたりする構成の詳細及び部材の配置に限定されないことが理解されるべきである。本発明は、本明細書に記載の実施形態とは別の実施形態を可能とし、様々な形で実施及び実行されうる。また、本明細書及び要約書において用いられる表現法及び用語法は、記述を目的とするものであり、限定を行うものとみなされるべきではないことも理解されるべきである。
【００３５】
本明細書に組み込まれ、その一部を構成する添付の図面は、本発明の実施形態のいくつかを例示し、本明細書の記述と併せて、本発明の原理の説明に役立つ。
【００３６】
本開示の基礎となる発想が、本発明の目的のいくつかを達するための他の構造、方法、及びシステムの設計の基礎として容易に利用されうることを、当業者は認めるであろう。したがって、本発明の趣旨及び範囲を逸脱しない限り、本請求項がかかる等価な構成を含むものとみなされるべきであることを認識するのは重要である。
【００３７】
本開示のより良い理解のため、ここでそれを代表的実施形態に関して記述し、かかる実施形態は本明細書において、以下の図面を援用して記述される。
【図面の簡単な説明】
【００３８】
【図１】図１は、型枠支持用フレーム組立体の平面図を示す。
【図２ａ−ｂ】図２ａ及び図２ｂは、テーブル型枠支持体を支持するのに用いられる下部フレーム部及び上部支持部の側面図を、伸長位置及び収縮位置で示す。
【図３】図３は、型枠及びその中の成形コンクリートを支持するフレーム組立体の側面図である。
【図４】図４は、硬化した成形コンクリートから取り外された（すなわち、距離Ａをとって分離した）フレーム組立体の側面図である。
【図５】図５は、下部フレーム部の隅脚部及び下部フレームの脚部に係合する上部フレームの管状支持体の詳細を示す。
【図６】図６は、型枠支持体、油圧アクチュエータの上部管、及びブレースの一部を下方から見た図を示す。
【図７】図７は、キャスター車輪及びジャッキ支持体を示す詳細図である。
【００３９】
［詳細な説明］
【発明を実施するための形態】
【００４０】
図１において、テーブルフォームフレーム組立体１０が図示され、コンクリート成形用表面を形成するため、合板型枠が締結具又は留め具を用いてこの組立体上に設置及び固定される。フレーム組立体１０は長方形で、周梁１１を有し、かかる周梁１１同士の間に複数の根太１２が伸長している。端梁１３は根太１２と平行で、周梁１１に固定されている。周梁１１と平行で、周梁１１の内側に間隔をおいて設けられた一対の根太受台１４が、根太１２の下側に位置し、フレームワーク１０を支持するのに用いられる。
【００４１】
下部フレーム部１６は、角管状の隅脚部１７を４つ備える。端部レール１８及び側部レール１９は、各隅脚部１７の間で伸長し、隅脚部１７の上端部に溶着されている。斜棒２０はその両端で、隅脚部１７と端部レール１８又は側部レール１９とにそれぞれ溶着され、隅脚部１７に、端部レール１８及び側部レール１９に対する筋交い支持が提供される。
【００４２】
端部レール１８の下方の下部フレーム部１６の各端部に、一対の下部レール２１があり、その両末端がどちらかの側面で隅脚部１７に溶着されている。
【００４３】
上部支持部２３は、各隅脚部１７内に伸縮自在な形で配置された管状支持体２４を４つ備える。支持体２４は、下部フレーム部１６の各端部において、支持体２４の両上端部間で伸長し、これら両上端部に固定される梁２５を有する。ブラケット２６が、各支持体２４の頂部に設けられ、このブラケット２６に梁２５が着脱式金属ピン２７で固定されている。ブラケット２６は、梁２５と根太受台１４の両方を支持している。根太受台１４もまたブラケット２６に対して離脱可能な形で固定されている。
【００４４】
このように、フレームワーク１０は上部支持部２３に支持及び固定され、一方で上部支持部２３は、下部フレーム部１６に支持されている。油圧アクチュエータ３０が、下部フレーム部１６の各端部に設けられている。油圧アクチュエータ３０は、２つの伸縮自在な管状部の内部に配置された油圧シリンダ（図示せず）を備えている。これらの管状部は、下部管３１及び上部管３２を備え、上部管３２は下部管３１内を伸縮自在に摺動する。
【００４５】
油圧シリンダの一方の端部が、下部管３１の下端部に固定され、油圧シリンダの外側に伸長するラムの上端部は、上部管３２の上端部の内部に固定されている。下部管３１は、レール２１同士の間に固定され、上部管３２の上端部は、ブラケット３３を介して梁２５に固定されている。油圧アクチュエータ３０は、図２ｂ及び図３ｂにおいてはその完全に伸長したときの位置で示され、図２ａ及び図３ａにおいてはその完全に収縮したときの位置で示されている。油圧アクチュエータ３０は、上部支持部２３を、下部フレーム部１６に対して上方に伸長させるのに用いる。油圧アクチュエータ３０はまた、フレームワーク１０をコンクリート表面から引き離すべき際に、上部支持部２３に対して下向きの力を加えるためにも用いられてもよいが、こうしたことが必要となるのは稀である。
【００４６】
図５において、支持体２４は、下部管部３９と、下部管部３９内で伸縮自在に摺動する上部管部４０とを備えていてもよい。下部管部３９及び上部管部４０は、下部管部３９に対して上部管部４０を保持するためのピンを貫通させうる開口部を備える。このことにより、建築物の様々なタイプによって各階間の高さが種々に異なるのに合わせるため、上部支持部２３の高さを高くしたり低くしたりすることが可能になる。さらに、下部管部３９は、その全長にわたって多数の開口部４１を有し、この開口部に、各隅脚部１７に対して支持体２４を固定するためのピンを貫通させうる。このことは、上部支持部２３の負荷を、油圧アクチュエータ３０のみならず、これらピン継手により支持することを可能にする。
【００４７】
各端部レール１８の各端部にブラケット４３が配置されている。かかるブラケット４３には開口部があり、この開口部によって隣接する下部フレーム部１６同士を互いに固定できる。
【００４８】
図７において、一対のキャスター車輪組立体４５が、下部フレーム部１６の各端部においてレール２１同士の間に位置している。各キャスター車輪４６は、ポスト４７の下端部に取り付けられ、一方でこのポスト４７はカラー４８を貫通する。カラー４８は、両側のレール２１に溶着され、ポスト４７は、カラー４８における対応開口部と位置が合う一連の開口部４９を有し、これにより、ポスト４７を異なる高さでピン止めすることができる。
【００４９】
油圧アクチュエータ３０が上部支持部２３を引き下げると、支持体２４がその最下位置で脚部１７の下端部から突出する。このことにより、脚部１７が支持面から離れて持ち上がる。この位置で、キャスター車輪４６が支持面に接するようにポスト４７を下降させることができ、ポスト４７は所定の位置でピン止めされうる。次に、油圧アクチュエータ３０を作動させ、上部支持部２３を若干持ち上げ、支持体２４の端部が地表面に接しなくなるようにする。脚部１７の端部が地表面から離れると、下部フレーム部１６をキャスター車輪４６上で容易に移動させることができる。
【００５０】
上の記述からわかるように、下部フレーム部１６と上部支持部２３とを組み合わせることにより、コンクリート注入前にテーブルフォームフレームワーク１０を所定位置に移動させることが非常に簡単になる。キャスター車輪４６は、テーブルフォームフレームワーク１０の容易な移動及びその上昇した第１の位置への配置を可能にする。キャスター車輪組立体４５は上昇させることができ、そのことにより、下部フレーム部１６が床又は地表面の上で隅脚部１７により支持される。
【００５１】
図７は、フット組立体５０を詳細に図示したものである。フット組立体５０は、レール２１同士の間に固定される。各フット組立体５０は、近接する脚部１７に対して伸縮するよう調節され、下部フレーム部１６の各隅におけるフレーム組立体１０の高さの微調整を可能にする。各フット組立体５０は、ネジ付きフット（threaded foot）５２を含み、これを支持体５４内で締めたり緩めたりすることで、フット５２を、支持体５４とフレーム組立体１０の他の部分との両方に相対的に伸縮させることができる。このことは、コンクリートの注入前にフレームワーク１０を精確な高さ位置にまで移動させる微調整を可能にする。このことは、型枠及びフレーム１０の負荷が、フット組立体５０により支持されることを意味する。
【００５２】
図３及び図４において、コンクリートの注入及び硬化後、型枠支持フレーム組立体１０のフット５２が床表面を離れ、型枠と型枠が固定されている型枠支持フレーム組立体１０とが型枠及びフレーム組立体の総重量の影響下で硬化したコンクリートから剥がれ落ちうるまで、各フット組立体５０の送りネジ５６を少しずつ且つゆっくりと回すことでフット組立体５０を収縮させることにより、フレーム組立体１０及びそれにより支持及び保持される型枠６０をコンクリート表面６２から容易に取り外すことができる。
【００５３】
引き続いて上部支持部２３がその第２の低い位置まで戻ったら、次に組立体全体を建築物の外周部まで容易に車輪で移動させ、必要であれば次の階に引き上げることができる。下部フレーム部１６及び上部支持部２３を有するこれらフレーム組立体１０を複数組み合わせ、柱間に必要なテーブルフォームを形成することができ、上述の通りかかるテーブルフォームは、コンクリート注入前に迅速に配置され、コンクリート硬化後に迅速に撤去されうる。
【００５４】
本明細書において、本開示は最も実際的で好ましい実施形態と想定されるものにおいて示され記述されてきたとはいえ、本発明の範囲内での逸脱が可能であることは認められるのであり、本発明は本明細書に記述された詳細に限られるべきではなく、あらゆる等価な装置及び器具を包含するよう、添付の請求項の範囲全体と一致すべきである。
【図１】
0005620398.tif 000002
【図２】
0005620398.tif 000003
【図３】
0005620398.tif 000004
【図４】
0005620398.tif 000005
【図５】
0005620398.tif 000006
【図６】
0005620398.tif 000007
【図７】
0005620398.tif 000008